(57)【要約】【課題】利用者の使い勝手に対する影響を少なく、消費電力をできる限り低減させた表示装置および方法を提供する。【解決手段】表示部１０６は、テキスト、画像またはそれら双方を表示する。照明部１０４は、表示部１０６に照射される光を発する。照明制御部１０３は、ユーザから電子機器に対する入力のされない状態が所定時間続くと、照明部１０４から発せられる光を停止する。表示制御部１０５は照明制御部１０３からの制御により照明部１０４から発せられる光が停止されるのに応じて表示部１０６の階調数を下げる。照明部１０４の光が停止され、表示部１０６の階調が下げられている状態で、ユーザから電子機器に対する入力があると、照明制御部１０３が照明部１０４を点灯させる。また、表示制御部１０５が表示部１０６の階調を通常に戻す。【選択図】　　　図１
2004085682.tif 000002
【特許請求の範囲】
【請求項１】
電子機器に備えられる表示装置であって、
テキスト、画像またはそれら双方を表示する表示部と、
前記表示部に照射される光を発する照明部と、
所定の条件で前記照明部から発せられる光の量を制御する照明制御部と、
前記照明制御部からの制御により前記照明部から発せられる光の量に応じて前記表示部の階調数を変更する表示制御部とを有する表示装置。
【請求項２】
ユーザから前記電子機器に対する入力のされない状態が所定時間続くと、前記照明制御部が前記照明部の光を停止し、前記表示制御部が前記表示部の階調を下げる、請求項１記載の表示装置。
【請求項３】
前記電子機器は前記表示部をユーザに見えない状態にする機構を有しており、
前記表示部がユーザに見える状態で、かつユーザから前記電子機器に対する入力のされない状態が所定時間続くと、前記照明制御部が前記照明部の光を停止し、前記表示制御部が前記表示部の階調を下げる、請求項１記載の表示装置。
【請求項４】
前記表示部がユーザに見えない状態になると、前記照明制御部が前記照明部の光を停止し、前記表示制御部が前記表示部の階調を通常に戻す、請求項３記載の表示装置。
【請求項５】
前記照明部の光が停止され、前記表示部の階調が下げられている状態で、ユーザから前記電子機器に対する入力があると、前記照明制御部が前記照明部に点灯させ、前記表示制御部が前記表示部の階調を通常に戻す、請求項２〜４のいずれか１項に記載の表示装置。
【請求項６】
前記照明部は前記表示部にバックライトを照射する、請求項１〜５のいずれか１項に記載の表示装置。
【請求項７】
前記照明部は前記表示部にフロントライトを照射する、請求項１〜５のいずれか１項に記載の表示装置。
【請求項８】
テキスト、画像またはそれら双方を表示する表示部と該表示部に照射される光を発する照明部とを有し、電子機器に備えられる表示装置における表示方法であって、
所定の条件で前記照明部から発せられる光の量を下げるステップと、
前記照明部から発せられる光の量に応じて前記表示部の階調数を変更するステップとを有する表示方法。
【請求項９】
ユーザから前記電子機器に対する入力のされない状態が所定時間続いたことを条件に、前記照明部の光を停止し、
前記照明部の光が停止したことに応じて前記表示部の階調数を下げる、請求項８記載の表示方法。
【請求項１０】
前記電子機器は前記表示部をユーザに見えない状態にする機構を有しており、
前記表示部がユーザに見える状態で、かつユーザから前記電子機器に対する入力のされない状態が所定時間続いたことを条件に、前記照明部の光を停止し、
前記前記照明部の光が停止したことに応じて前記表示部の階調数を下げる、請求項８記載の表示方法。
【請求項１１】
前記表示部がユーザに見えない状態になると、前記照明部の光を停止し、前記表示部の階調を通常に戻すステップをさらに有する、請求項１０記載の表示方法。
【請求項１２】
前記照明部の光が停止され、前記表示部の階調が下げられている状態で、ユーザから前記電子機器に対する入力があると、前記照明部を点灯させ、前記表示部の階調を通常に戻すステップをさらに有する、請求項９〜１１のいずれか１項に記載の表示方法。
【発明の詳細な説明】
【０００１】
【発明の属する技術分野】
本発明は、バッテリーによって駆動される電子機器の表示装置に関し、特に、この種の表示装置の低消費電力化に関する。
【０００２】
【従来の技術】
携帯電話機やＰＤＡ、ノート型パーソナルコンピュータ等の表示装置を有する携帯可能な電子機器はバッテリーによって駆動されることが多い。そして、このような電子機器は、バッテリー駆動により使用可能な時間が長いことが好ましい。
【０００３】
一方、携帯電話機などの高機能化に伴って、表示装置に表示される内容は従来のテキスト主体から、写真や動画主体に移行しつつある。そのため、近年の移動体端末の表示装置では多色化が進んでいる。今までと同じ書き換え時間を維持しながら、より多くの色を表示するために、表示装置は、より高速なクロックで動作する必要がある。そして高速動作するために、近年の表示装置の消費電力は高くなっている。
【０００４】
バッテリー駆動により使用可能な時間を長くするために、電子機器は、キー操作などの入力がない状態が一定時間続くと、電力の消費を低減するモード（以下、パワーセーブモードと称す）に移行する。
【０００５】
パワーセーブモードにおいて、従来の電子機器は、表示装置の画面を例えばオフにする。しかし、電子機器の種類や用途によっては、表示装置の画面を完全にオフにすることが好ましくない。そのため、従来の他の電子機器はパワーセーブモードにおいてバックライトの輝度を下げる。また、従来のさらに他の電子機器は、反射型液晶表示装置を備え、パワーセーブモードにおいてバックライトをオフして太陽光や照明によって表示を継続させる。
【０００６】
【発明が解決しようとする課題】
このようにして、バッテリー駆動可能な、表示装置を有する電子機器では、従来より消費電力の低減が図られている。しかし、携帯電話機など、この種の電子機器では、消費電力は低ければ低い程好ましく。また、消費電力が低く、バッテリー駆動により使用可能な時間が長いことは、この種の電子機器の商品価値を大きく左右する要因である。電子機器の高機能化が進むにつれて、表示装置のさらなる低消費電力化の手段が強く求められている。ただし、消費電力化をするために、画面を見たいときに画像の輝度が低かったり、画質が悪かったりなど利用者の使い勝手が低下するようでは本末転倒である。
【０００７】
本発明の目的は、利用者の使い勝手に対する影響を少なく、消費電力をできる限り低減させた表示装置および方法を提供することである。
【０００８】
【課題を解決するための手段】
上記目的を達成するために、本発明の表示装置は、電子機器に備えられる表示装置であって、
テキスト、画像またはそれら双方を表示する表示部と、
前記表示部に照射される光を発する照明部と、
所定の条件で前記照明部から発せられる光の量を制御する照明制御部と、
前記照明制御部からの制御により前記照明部から発せられる光の量に応じて前記表示部の階調数を変更する表示制御部とを有している。
【０００９】
したがって、本発明によれば、照明部から発せられる光の量に応じて表示部の階調数が変更される。
【００１０】
なお、ユーザから前記電子機器に対する入力のされない状態が所定時間続くと、前記照明制御部が前記照明部の光を停止し、前記表示制御部が前記表示部の階調数を下げてもよい。
【００１１】
したがって、ユーザ入力の無い状態が所定時間続き照明部の光が停止されるのに応じて表示部の階調数が下げられる。
【００１２】
また、前記電子機器は前記表示部をユーザに見えない状態にする機構を有しており、
前記表示部がユーザに見える状態で、かつユーザから前記電子機器に対する入力のされない状態が所定時間続くと、前記照明制御部が前記照明部の光を停止し、前記表示制御部が前記表示部の階調を下げてもよい。
【００１３】
また、前記表示部がユーザに見えない状態になると、前記照明制御部が前記照明部の光を停止し、前記表示制御部が前記表示部の階調を通常に戻してもよい。
【００１４】
また、前記照明部の光が停止され、前記表示部の階調が下げられている状態で、ユーザから前記電子機器に対する入力があると、前記照明制御部が前記照明部に点灯させ、前記表示制御部が前記表示部の階調を通常に戻してもよい。
【００１５】
本発明の一態様によれば、前記照明部は前記表示部にバックライトを照射する。
【００１６】
本発明の他の態様によれば、前記照明部は前記表示部にフロントライトを照射する。
【００１７】
本発明の表示方法は、テキスト、画像またはそれら双方を表示する表示部と該表示部に照射される光を発する照明部とを有し、電子機器に備えられる表示装置における表示方法であって、
所定の条件で前記照明部から発せられる光の量を下げるステップと、
前記照明部から発せられる光の量に応じて前記表示部の階調数を変更するステップとを有している。
【００１８】
なお、ユーザから前記電子機器に対する入力のされない状態が所定時間続いたことを条件に、前記照明部の光を停止し、
前記照明部の光が停止したことに応じて前記表示部の階調数を下げることとしてもよい。
【００１９】
また、前記電子機器は前記表示部をユーザに見えない状態にする機構を有しており、
前記表示部がユーザに見える状態で、かつユーザから前記電子機器に対する入力のされない状態が所定時間続いたことを条件に、前記照明部の光を停止し、
前記前記照明部の光が停止したことに応じて前記表示部の階調数を下げることとしてもよい。
【００２０】
また、前記表示部がユーザに見えない状態になると、前記照明部の光を停止し、前記表示部の階調を通常に戻すステップをさらに有してもよい。
【００２１】
また、前記照明部の光が停止され、前記表示部の階調が下げられている状態で、ユーザから前記電子機器に対する入力があると、前記照明部を点灯させ、前記表示部の階調を通常に戻すステップをさらに有してもよい。
【００２２】
【発明の実施の形態】
本発明の一実施形態について図面を参照して詳細に説明する。
【００２３】
本発明の表示装置は、携帯電話機、携帯型情報端末、ノート型パーソナルコンピュータなどバッテリー駆動可能な電子機器に搭載される。本実施形態では携帯電話機を前提とした構成を例示する。本実施形態の表示装置は、電子機器に対してユーザによるキー操作等の入力がない時間が所定時間続くと、バックライトを消灯してパワーセーブモードに移行すると共に、画面の階調数（表示色数）を減少させる。
【００２４】
図１は、本発明の一実施形態の表示装置の構成を示すブロック図である。図１を参照すると本実施形態の表示装置１００は、主制御部１０１、主記憶部１０２、バックライト制御部１０３、バックライト１０４、表示制御部１０５、表示部１０６、表示記憶部１０７およびタイマー１０８を有している。
【００２５】
主制御部１０１は、表示装置１００全体の動作を司る制御部である。主制御部１０１は、バックライト制御部１０３、表示部制御部１０５、タイマー１０８などを制御し、連携動作させる。
【００２６】
主記憶部１０２は、主制御部１０１によって読み書きされる記憶装置である。主記憶部１０２は、主制御部１０１が各種処理を実行するのに必要なプログラムやデータを記憶する。
【００２７】
バックライト制御部１０３は、主制御部１０１からの指示に従ってバックライト１０４を点灯させ、また消灯させる。
【００２８】
バックライト１０４は表示部１０６に背面から光を照射し、表示部１０６の画面を明るくする。
【００２９】
表示制御部１０５は、表示部１０６を制御し、所望の画像を表示させる。表示制御部１０５が表示部１０６に表示する画像は、例えば主制御部１０１から受信したものである。
【００３０】
また、表示制御部１０５は、表示部１０６に表示させる表示データを表示記憶部１０７に記憶させ、また表示記憶部１０７に記憶されている表示データを表示部１０６に表示させることができる。
【００３１】
また、表示制御部１０５は、主制御部１０１からの指示に従って表示部１０６の表示色数（階調数）を変更できる。本実施形態では表示色数によって、表示色数通常モードと、表示色数減少モードとがある。表示色数は、表示色数通常モードでは表示部１０６の持つ最大数であり、表示色数減少モードでは最大数よりも少ない数である。表示色数減少モードの表示色数は、例えば最大数の１／２や１／４などが可能である。
【００３２】
表示部１０６は文字や画像などを画面に表示する。
【００３３】
表示記憶部１０７は表示制御部１０５により読み書きされる記憶装置である。
【００３４】
タイマー１０８は主制御部１０１によってスタート／ストップを制御されるタイマーである。タイマー１０８は、主制御部１０１により予め設定された所定時間が経過すると、タイマーの満了を主制御部１０１に通知する。
【００３５】
図２は、本実施形態の表示装置の動作を示すフローチャートである。図２を参照すると、まず、表示制御部１０５が主制御部１０１からの指示に従って表示部１０６の表示をオンにする（ステップ２０１）。次に、バックライト制御部１０３が主制御部１０１からの指示に従ってバックライト１０４を点灯させる（ステップ２０２）。
【００３６】
次に、主制御部１０１はタイマー１０８を初期化する（ステップ２０３）。次に、主制御部１０１はキー操作があったか否か判定する（ステップ２０４）。キー操作があった場合、主制御部１０１からの指示に従ってバックライト制御部１０３がバックライト１０４を点灯させる（ステップ２０５）。バックライト１０４が既に点灯している場合には、そのまま継続して点灯される。
【００３７】
次に、主制御部１０１は、現在の表示色数モードが表示色数減少モードであるか否か判定する（ステップ２０６）。現在の表示色数モードが表示色数減少モードであれば、主制御部１０１は、表示色数モードを表示色数通常モードに切り替え（ステップ２０７）、その後にステップ２０３の処理に戻る。また、ステップ２０６の判定において、現在の表示色数モードが表示色数減少モードでなければ、すなわち表示色数通常モードであれば、主制御部１０１は、何もせずにステップ２０３の処理に戻る。
【００３８】
ステップ２０４の判定において、キー操作が無かった場合、主制御部１０１はタイマー１０８が満了したか否か判定する（ステップ２０８）。タイマー１０８が満了していなければ、主制御部１０１はステップ２０４の処理に戻る。また、タイマー１０８が満了していれば、バクライト制御部１０３は主制御部１０１の指示に従ってバックライト１０４を消灯させる（ステップ２０９）。次に、主制御部１０１は、表示色数モードを表示色数減少モードに切り替え（ステップ２１０）、ステップ２０４の処理に戻る。
【００３９】
図３は、主制御部１０１から表示制御部１０５に表示データを通知するときの各信号を示すタイミングチャートの一例である。図３を参照すると、表示データを通知するために、同期信号（ｓｙｎｃ）３０１、クロック信号（ｃｌｏｃｋ）３０２およびデータ信号（ｄａｔａ）３０３が用いられる。同期信号には実際には垂直同期信号および水平同期信号があるが、同期信号３０１は一例としてそのいずれかを示している。同期信号３０１のパルスの間隔が走査周期（ｔ［ｓｅｃ］）である。クロック信号３０２は、走査周期の１周期の間にｎ個のクロックを数える。表示データ３０３は、クロック信号３０２に同期している。つまり、走査周期ｔ［ｓｅｃ］の間にｎ個の表示データが通知される。一般的にデータはパラレルの信号により転送されるが、ここでは説明を簡単にするためにシリアルの信号により転送される例が示されている。
【００４０】
上述した表示色数減少モードは、表示色数通常モードと走査周期が同じで、表示色数が少なくなっている。したがって、表示色数減少モードは、表示色数通常モードよりクロック周波数が低い。一般に、信号の周波数が低いほど消費電力が低くなるので、表示装置１００は表示色数減少モード時には表示色数通常モード時より消費電力が低減されている。
【００４１】
なお、表示色数減少モードは、表示色数通常モードより各画素の色表現能力が低いので画質が劣る。しかし、バックライトが消灯しているとき、その画質の劣化は目で見て明らかな程でなく、表示色数を下げていることはユーザの視認性について問題とならない。本実施形態の表示装置１００は、バックライトを消灯すると共に表示色数減少モードへ移行するので、バックライトの消灯による消費電力の低減に加えて、表示色数の減少による消費電力の低減の効果をも得ることができ、かつ表示色数が減少することによる画質の劣化の影響がない。
【００４２】
本実施形態の表示装置１００における表示色数とクロック周波数の関係について説明する。
【００４３】
例えば、表示色数通常モードにおける表示装置１００の階調数（表示色数）を３２階調であり、クロック周波数が１であるとする。走査時間を変えずに階調数を１６階調にすると、クロック周波数は４／５になり、消費電力が低減される。同様に、階調数を８階調にすると、クロック周波数は３／５になる。
【００４４】
以上説明したように、本実施形態によれば、一定時間キー操作が行われなければ、表示装置はバックライトを消灯するとともに表示色数を減少させて表示色数減少モードへ切り替えることにより表示データのクロック周波数を低くするので、バックライト消灯と表示色数の減少により、消費電力を大きく低減させることができる。また、表示色数を画質に影響を与えることなく表示色数を減少させることができる。
【００４５】
次に本発明の他の実施形態について説明する。本発明の他の実施形態の表示装置は、携帯電話機やＰＨＳ端末のような折り畳み式の機構を有する電子機器に搭載される。本実施形態では、折り畳み式機能の部分を閉じた状態では、表示装置の表示部は見えない状態となる。そのとき、本実施形態の表示装置はバックライトを消灯し、表示をオフにする。本実施形態の表示装置が表示色数減少モードに移行するのは、折り畳み式機構部分が開いており、かつ入力のない状態が一定時間以上経過したときである。
【００４６】
図４は、本発明の他の実施形態の表示装置の構成を示すブロック図である。図４を参照すると、表示装置４００は、主制御部４０１、主記憶部１０２、バックライト制御部１０３、バックライト１０４、表示制御部１０５、表示部１０６、表示記憶部１０７、タイマー１０８および開閉状態検出部４０２を有している。
【００４７】
主記憶部１０２、バックライト制御部１０３、バックライト１０４、表示制御部１０５、表示部１０６、表示記憶部１０７およびタイマー１０８は図１のものと同じである。
【００４８】
主制御部４０２は、図１の主制御部１０１と同様に表示装置４００全体を司る制御部であるが、開閉状態検出部４０２と接続されている点で図１のものと異なる。
【００４９】
開閉状態検出部４０２は電子機器の折り畳み機構部分の開閉状態を識別する。開閉状態検出部４０２は、“開”または“閉”の状態を主制御部４０１に通知する。
【００５０】
図５は、図４の表示装置の動作を示すフローチャートである。図５を参照すると、まず、表示制御部１０５が主制御部４０１からの指示に従って表示部１０６の表示をオンにする（ステップ５０１）。次に、バックライト制御部１０３が主制御部４０１からの指示に従ってバックライト１０４を点灯させる（ステップ５０２）。
【００５１】
次に、主制御部４０１はタイマー１０８を初期化する（ステップ５０３）。次に、主制御部４０１は開閉状態検出部４０２から情報を取得して“開”の状態か否か判定する（ステップ５０４）。“開”の状態で無ければ、バックライト制御部１０３が主制御部４０１からの指示に従ってバックライト１０４を消灯させる（ステップ５０５）。次に、表示制御部１０５が主制御部４０１からの指示に従って表示部１０６の表示をオフにする（ステップ５０６）。次に、主制御部４０１は、表示色数モードを表示色数通常モードに切り替え（ステップ５０７）、その後にステップ５０３の処理に戻る。ここで、表示色数通常モードにしているのは、“閉”の状態から“開”の状態になったときバックライトが点灯されるので、そのとき表示色数通常モードで表示が始まるようにするためである。
【００５２】
ステップ５０４の判定で“開”状態であれば、主制御部４０１は電子機器の折り畳み機構部分が“閉”の状態から“開”の状態に変化したか否か判定する（ステップ５０８）。開閉状態の変化は、過去の開閉状態を記憶しておき、新たな状態と過去の状態とを比較することにより検出可能である。
【００５３】
“閉”の状態から“開”の状態に変化していれば、表示制御部１０５が主制御部４０１からの指示に従って表示部１０６をオンにする（ステップ５０９）。次に、バックライト制御部１０３が主制御部４０１からの指示に従ってバックライト１０４を点灯させる（ステップ５１０）。
【００５４】
ステップ５０８の判定で“閉”の状態から“開”の状態に変化していない場合、またはステップ５１０の処理の後、主制御部４０１はキー操作があったか否か判定する（ステップ５１１）。キー操作があった場合、主制御部４０１からの指示に従ってバックライト制御部１０３がバックライト１０４を点灯させる（ステップ５１２）。バックライト１０４が既に点灯している場合には、そのまま継続して点灯される。
【００５５】
次に、主制御部４０１は、現在の表示色数モードが表示色数減少モードであるか否か判定する（ステップ５１３）。現在の表示色数モードが表示色数減少モードであれば、主制御部４０１は、表示色数モードを表示色数通常モードに切り替え（ステップ５１４）、その後にステップ５０３の処理に戻る。また、ステップ５１３の判定において、現在の表示色数モードが表示色数減少モードでなければ、すなわち表示色数通常モードであれば、主制御部４０１は、何もせずにステップ５０３の処理に戻る。
【００５６】
ステップ５１１の判定において、キー操作が無かった場合、主制御部４０１はタイマー１０８が満了したか否か判定する（ステップ５１５）。タイマー１０８が満了していなければ、主制御部４０１はステップ５０４の処理に戻る。また、タイマー１０８が満了していれば、バックライト制御部１０３は主制御部４０１の指示に従ってバックライト１０４を消灯させる（ステップ５１６）。次に、主制御部４０１は、表示色数モードを表示色数減少モードに切り替え（ステップ５１７）、ステップ５０４の処理に戻る。
【００５７】
以上説明したように、本実施形態によれば、折り畳み式の電子機器において“開”の状態でありながら一定時間キー操作が行われなければ、表示装置はバックライトを消灯するとともに表示色数を減少させて表示色数減少モードへ切り替えることにより表示データのクロック周波数を低くするので、バックライト消灯と表示色数の減少により、消費電力を大きく低減させることができる。また、表示色数を画質に影響を与えることなく表示色数を減少させることができる。
【００５８】
本発明のさらに他の実施形態について説明する。本発明のさらに他の実施形態の表示装置は、表示色数を３段階以上に変化させることができる。
【００５９】
例えば、表示装置は通常時には１６階調を用い、高画質が要求されるときに３２階調に切り替わり、入力のない状態が一定時間以上続いたとき８階調に切り替わるとしてもよい。また、表示装置は通常時には３２階調を用い、入力のない状態が一定時間以上続くと１６階調に切り替わり、さらに入力のない状態が続くと８階調に切り替わるとしてもよい。
【００６０】
以上説明した各実施形態の表示装置が表示色数モードを切り替えるか否か判定するために設定されるタイマ１０８のタイマ値は固定値であってもよく、またユーザにより設定可能であってもよい。
【００６１】
また、各実施形態の表示装置が各状態で選択する表示色数（階調数）は、固定値であってもよく、またユーザにより設定可能であってもよい。
【００６２】
また、各実施形態の表示装置は、主に、携帯電話機のような携帯可能な通信装置に搭載されることを前提としている。しかし、各実施形態の表示装置は、その他の様々な電子機器に搭載可能である。ＰＨＳ端末、ＰＤＡ、ノート型パーソナルコンピュータのようにバッテリにより駆動可能であり、バッテリ駆動により動作可能な時間が長いことが好ましいあらゆる装置に本発明の表示装置が適用可能である。
【００６３】
また、各実施形態では表示部１０６が透過型あるいは微透過型ＬＣＤであり、バックライト１０４が用いられる構成を前提に例を示したが、表示部１６は反射型あるいは微反射型ＬＣＤであってもよい。その場合、表示装置には照明部としてバックライト１０４の代わりにフロントライトが備えられる。バックライト１０４がフロントライトに置き換えられても本発明はそのまま適用可能である。
【００６４】
また、各実施形態の表示装置１００，４００の構成（図１，４）において、表示記憶部１０７は必ずしも存在しなくともよい。その場合、主制御部１０１，４０１と表示制御部１０５の間に常時リアルタイムで表示データが流れるため、本発明による消費電力低減の効果はより大きなものとなる。
【００６５】
また、本発明は各実施形態の例に限定されるものではなく、各実施形態は本発明の技術思想の範囲内において適宜変更され得ることはいうまでもない。
【００６６】
【発明の効果】
本発明によれば、照明部から発せられる光の量に応じて表示部の階調数が変更されるので、表示部の明るさに応じて適切な階調数を選択することにより、ユーザの視認性に影響を与えることなく消費電力を低減することができる。
【００６７】
また、ユーザ入力の無い状態が所定時間続き照明部の光が停止されるのに応じて表示部の階調数が下げられるので、ユーザが電子機器を使っていないときには表示装置の照明部の光の停止と表示部の階調数の低減により大きな消費電力低減効果が得られる。
【図面の簡単な説明】
【図１】本発明の一実施形態の表示装置の構成を示すブロック図である。
【図２】本実施形態の表示装置の動作を示すフローチャートである。
【図３】主制御部から表示制御部に表示データを通知するときの各信号を示すタイミングチャートの一例である。
【図４】本発明の他の実施形態の表示装置の構成を示すブロック図である。
【図５】図４の表示装置の動作を示すフローチャートである。
【符号の説明】
１００，４００　　表示装置
１０１，４０１　　主制御部
１０２　　主記憶部
１０３　　バックライト制御部
１０４　　バックライト
１０５　　表示制御部
１０６　　表示部
１０７　　表示記憶部
１０８　　タイマー
２０１〜２１０，５０１〜５１７　　ステップ
３０１　　同期信号
３０２　　クロック信号
３０３　　データ信号
４０２　　開閉状態検出部
【図１】
2004085682.tif 000003
【図２】
2004085682.tif 000004
【図３】
2004085682.tif 000005
【図４】
2004085682.tif 000006
【図５】
2004085682.tif 000007